(57)【要約】【課題】照明を消灯する操作性が改善されるとともに、電線の噛み込みが改善され、部品点数を削減できるサンバイザー用照明装置、及び、当該サンバイザー用照明装置を含むルーフモジュールの製造方法を提供すること。【解決手段】サンバイザー用照明装置１は、サンバイザーの照明８を点灯／消灯するスイッチ２９及び該スイッチ２９をＯＮ／ＯＦＦする操作用のスイッチノブ７を備え、該スイッチノブ７を第一の位置に移動させると前記スイッチ２９がＯＮされ、前記スイッチノブ７を第二の位置に移動させると前記スイッチ２９がＯＦＦされる。又は、サンバイザー用照明装置１は、前記スイッチノブ７が前記第一の位置にあるときに前記サンバイザーを閉じると、該サンバイザーが前記スイッチノブ７に干渉することによって該スイッチノブ７が第三の位置に移動して前記スイッチ２９がＯＦＦされる。【選択図】図１
2011235767.tif 000002
【特許請求の範囲】
【請求項１】
サンバイザーの照明を点灯／消灯するスイッチ及び該スイッチをＯＮ／ＯＦＦする操作用のスイッチノブを備え、該スイッチノブを第一の位置に移動させると前記スイッチがＯＮされ、前記スイッチノブを第二の位置に移動させると前記スイッチがＯＦＦされるサンバイザー用照明装置において、
前記スイッチノブが前記第一の位置にあるときに前記サンバイザーを閉じると、該サンバイザーが前記スイッチノブに干渉することによって該スイッチノブが第三の位置に移動して前記スイッチがＯＦＦされる
ことを特徴とするサンバイザー用照明装置。
【請求項２】
請求項１に記載のサンバイザー用照明装置において、
ルーフハーネス及び前記スイッチを圧接接続するバスバーを備える
ことを特徴とするサンバイザー用照明装置。
【請求項３】
請求項１又は２に記載のサンバイザー用照明装置を、ルーフハーネスに圧接接続する工程と、ルーフに固定する工程とを含む
ことを特徴とするルーフモジュールの製造方法。
【請求項４】
請求項３に記載のルーフモジュールの製造方法において、
前記サンバイザー用照明装置を、サンバイザーと共に前記ルーフにネジ締め固定する
ことを特徴とするルーフモジュールの製造方法。
【発明の詳細な説明】
【技術分野】
【０００１】
本発明は、スイッチ及び操作用のスイッチノブを備えて構成されるサンバイザー用照明装置、及び、当該サンバイザー用照明装置を含むルーフモジュールの製造方法に関する。
【背景技術】
【０００２】
図１１において、従来のサンバイザー用照明装置５７は、縦筒体５８及びランプホルダ５９を備えて構成されている（例えば特許文献１）。縦筒体５８の内部には、電装品としての照明用発光体６０を組み込み可能な組込部６１を設けている。また、縦筒体５８には、その先端部から組込部６１に亘って一対の固定電極板６２が挿通されて固定されている。これら一対の固定電極板６２の先端部には、車載バッテリーに接続される接続線の端末コネクタが差し込まれて電気的に接続されるコネクタ６３を設けている。コネクタ６３及び固定電極板６２は電線６４によって接続されている。ランプホルダ５９は、縦筒体５８の組込部６１の開口部近傍に嵌め込まれ、所定の角度範囲内において縦軸線回りに回動可能に保持されている。また、ランプホルダ５９には、照明用発光体６０としてのランプ６５を下端部に有するランプケース６６が一体装着されている。ランプケース６６のランプ６５と反対側（上側）には、固定電極板６２に対し接離可能に接触する可動電極板６７が取り付けられている。ランプホルダ５９の下端部にはレンズ保持部６８が形成されている。レンズ保持部６８にはレンズ６９が装着されている。また、レンズ保持部６８には、ランプホルダ５９を縦軸線回りに回動操作して、固定電極板６２に対し可動電極板６７を接離するための操作部７０が設けられている。
【０００３】
上記構成において、照明用発光体６０としてのランプ６５の点灯が必要な場合、縦筒体５８の組込部６１に嵌め込まれたランプホルダ５９を、レンズ保持部６８の操作部７０において縦軸線回りに所定角度だけ回動操作することで、固定電極板６２に対し可動電極板６７が接触し、これによってランプ６５が点灯する。また、照明用発光体６０としてのランプ６５の消灯が必要な場合、ランプホルダ５９を逆方向へ回動操作することで、固定電極板６２に対し可動電極板６７が非接触状態となり、これによってランプ６５が消灯する。すなわち、固定電極板６２及び可動電極板６７がスイッチの役割を担っている。
【０００４】
また、上記構成においてサンバイザー用照明装置５７を車両の端末コネクタに接続する場合、縦筒体５８に設けられた固定電極板６２のコネクタ６３を、車載バッテリーに接続されている接続線の端末コネクタ（図示せず）に差し込み、接続が完了する。
【先行技術文献】
【特許文献】
【０００５】
【特許文献１】特開２００５−１３８６８８号公報
【発明の概要】
【発明が解決しようとする課題】
【０００６】
ところで、上記従来技術にあっては、サンバイザー用照明装置５７における照明用発光体６０としてのランプ６５を消灯する場合、一般的に、サンバイザー（図示せず）を車室天井に沿う格納位置に動かして閉じた後で、ランプホルダ５９を回動操作する必要がある。したがって、サンバイザー（図示せず）を閉じた後、いちいち手動によってランプ６５を消灯する必要があり、操作が面倒であるという問題点を有していた。
【０００７】
また、上記従来技術にあっては、サンバイザー用照明装置５７を車両の端末コネクタに組み付ける場合、コネクタ６３を使用した嵌め込みによって行う。したがって、電線６４の余長が必要になるため、組み付けの時に余った電線６４が噛み込んでしまうという問題点を有していた。さらに、コネクタ６３等の部品点数が増加してしまうという問題点も有していた。すなわち、サンバイザー用照明装置５７の組み付けが容易でないという問題点を有していた。
【０００８】
本発明は、上記した事情に鑑みてなされたもので、照明用発光体の消灯に関する操作性が改善されるとともに、組み付け時の電線の噛み込みを改善し、さらに部品点数も削減できるサンバイザー用照明装置、及び、当該サンバイザー用照明装置を含むルーフモジュールの製造方法を提供することを課題とする。
【課題を解決するための手段】
【０００９】
上記課題を解決するためになされた請求項１記載の本発明のサンバイザー用照明装置は、サンバイザーの照明を点灯／消灯するスイッチ及び該スイッチをＯＮ／ＯＦＦする操作用のスイッチノブを備え、該スイッチノブを第一の位置に移動させると前記スイッチがＯＮされ、前記スイッチノブを第二の位置に移動させると前記スイッチがＯＦＦされるサンバイザー用照明装置において、前記スイッチノブが前記第一の位置にあるときに前記サンバイザーを閉じると、該サンバイザーが前記スイッチノブに干渉することによって該スイッチノブが第三の位置に移動して前記スイッチがＯＦＦされることを特徴としている。
【００１０】
このような特徴を有する本発明によれば、スイッチノブが第一の位置にありサンバイザーの照明が点灯しているときにサンバイザーを閉じると、サンバイザーがスイッチノブに干渉することによってスイッチノブが第三の位置に移動してスイッチがＯＦＦされる。すなわち、サンバイザーの照明を点灯させてサンバイザーを使用し、その後、サンバイザーを閉じるだけで照明を自動的に消灯させることが可能になる。
【００１１】
請求項２記載の本発明のサンバイザー用照明装置は、請求項１に記載のサンバイザー用照明装置において、ルーフハーネス及び前記スイッチを圧接接続するバスバーを備えることを特徴としている。
【００１２】
このような特徴を有する本発明によれば、ルーフハーネス及びスイッチは、電線を含む例えばコネクタ等による嵌め込み接続ではなく、バスバーを介して圧接接続される。
【００１３】
請求項３記載の本発明のルーフモジュールの製造方法は、請求項１又は２に記載のサンバイザー用照明装置を、ルーフハーネスに圧接接続する工程と、ルーフに固定する工程とを含むことを特徴としている。
【００１４】
このような特徴を有する本発明によれば、サンバイザー用照明装置及びルーフハーネスは、電線を含む例えばコネクタ等による嵌め込み接続ではなく、圧接によって接続される。また、サンバイザー用照明装置はルーフモジュールとしてルーフに固定される。
【００１５】
請求項４記載の本発明のルーフモジュールの製造方法は、請求項３に記載のルーフモジュールの製造方法において、前記サンバイザー用照明装置を、サンバイザーと共に前記ルーフにネジ締め固定することを特徴としている。
【００１６】
このような特徴を有する本発明によれば、サンバイザー用照明装置及びサンバイザーは、ルーフモジュールとしてルーフにネジ締め固定される。
【発明の効果】
【００１７】
請求項１に記載された本発明によれば、サンバイザーを閉じるだけで点灯しているサンバイザーの照明を自動的に消灯させることが可能なので、サンバイザーを閉じた後でいちいち手動によってランプを消灯する必要がなく、照明を消灯するための操作が非常に容易になるという効果を奏する。また、照明が消灯しているときにサンバイザーを閉じれば、当然、この消灯状態を維持し続けるという効果も奏する。
【００１８】
請求項２に記載された本発明によれば、ルーフハーネス及びスイッチの接続を、電線を含む例えばコネクタ等による嵌め込みではなくバスバーを介して圧接によって行うので、電線の余長が発生しない。したがって、サンバイザー用照明装置を組み付ける時に、余った電線が噛み込まないという効果を奏する。また、コネクタ等の部品を削減できるという効果も奏する。
【００１９】
請求項３に記載された本発明によれば、サンバイザー用照明装置及びルーフハーネスを、電線を含む例えばコネクタ等による嵌め込みではなく圧接接続するので、電線の余長が発生しない。したがって、サンバイザー用照明装置を組み付ける時に、余った電線が噛み込まないという効果を奏する。また、コネクタ等の部品を削減できるという効果も奏する。さらに、サンバイザー用照明装置がルーフモジュールの一部としてルーフに固定されるので、サンバイザー用照明装置の組み付けが容易になるという効果を奏する。
【００２０】
請求項４に記載された本発明によれば、サンバイザー用照明装置及びサンバイザーは、共にルーフにネジ締め固定される。したがって、サンバイザー用照明装置及びサンバイザーの位置決めを正確に行うことができる。すなわち、サンバイザー用照明装置に設けているスイッチノブ及びサンバイザーの位置決めを正確に行うことが出来るという効果を奏する。
【図面の簡単な説明】
【００２１】
【図１】本発明のサンバイザー用照明装置の分解斜視図である。
【図２】本発明のサンバイザー用照明装置の組立過程を表す図であり、（ａ）はスイッチノブ及びバスバーをそれぞれ組み付ける過程、（ｂ）は（ａ）の後でルーフハーネスを接続する過程である。
【図３】本発明のサンバイザー用照明装置の組立完成品を表す図であり、（ａ）は上面斜視図、（ｂ）は下面斜視図である。
【図４】本発明のサンバイザー用照明装置における回路図である。
【図５】本発明のサンバイザー用照明装置を含むルーフモジュールの組立過程を表す図であり、（ａ）はサンバイザー用照明装置をルーフに仮固定する過程、（ｂ）は（ａ）の後で車両のブラケットに位置合わせする過程、（ｃ）は（ｂ）の後でサンバイザーを取り付ける過程である。
【図６】本発明のサンバイザー用照明装置を含むルーフモジュールの組立完成品を表す図であり、（ａ）は上面斜視図、（ｂ）は下面斜視図である。
【図７】本発明のサンバイザー用照明装置を含むルーフモジュールの上面図である。
【図８】図６のＡ−Ａ断面図であって、（ａ）は本発明のサンバイザー用照明装置のスイッチノブが第一の位置にあることを示し、（ｂ）はＡ部拡大図である。
【図９】図６のＡ−Ａ断面図であって、（ａ）は本発明のサンバイザー用照明装置のスイッチノブが第二の位置にあることを示し、（ｂ）はＢ部拡大図である。
【図１０】図６のＡ−Ａ断面図であって、（ａ）は本発明のサンバイザー用照明装置のスイッチノブが第三の位置にあることを示し、（ｂ）はＣ部拡大図である。
【図１１】従来のサンバイザー用照明装置の分解斜視図である。
【発明を実施するための形態】
【００２２】
以下、図面を参照しながら説明する。図１は本発明のサンバイザー用照明装置の分解斜視図である。図２は本発明のサンバイザー用照明装置の組立過程を表す図である。図３は本発明のサンバイザー用照明装置の組立完成品を表す図である。図４は本発明のサンバイザー用照明装置における回路図である。図５は本発明のサンバイザー用照明装置を含むルーフモジュールの組立過程を表す図である。図６は本発明のサンバイザー用照明装置を含むルーフモジュールの組立完成品を表す図である。図７は本発明のサンバイザー用照明装置を含むルーフモジュールの上面図である。図８〜図１０は図７のＡ−Ａ断面図である。なお、これらの図は本発明の一実施形態を示したものであり、この説明によって本発明が限定されるものではない。
【００２３】
図１において、サンバイザー用照明装置１は、合成樹脂製の上部ハウジング２と、同じく合成樹脂製の下部ハウジング３と、第一バスバー４と、第二バスバー５と、第三バスバー６と、操作用のスイッチノブ７と、照明用発光体８と、ルーフハーネス９とを備えて構成されている。本発明は、第一バスバー４、第二バスバー５、及びスイッチノブ７に特徴がある。さらに本発明は、サンバイザー５１（図６参照）及びスイッチノブ７の干渉にも特徴がある。
【００２４】
上部ハウジング２を上方から見ると、長方形の一対の長辺が内側に向かって半円形状に湾曲し、四隅が円弧状に面取りされた形状をしている。また、上部ハウジング２の上端面１０の外周端縁部から下方に向かって壁面部１１を全周に設け、その内側に空間を形成している。壁面部１１は一対の長辺の略中央において上方から見て半円形状に湾曲した湾曲壁面部１２を有し、一対の短辺の略中央においてルーフハーネス９を嵌め込むための二つの嵌め込み孔部１３を後方から見て略半円形状に有している。また、上部ハウジング２の長辺の壁面部１１の下端部には、下部ハウジング３に係合するため下方に突出した係止片１４を四つ設けている。
【００２５】
下部ハウジング３を上方から見ると、長方形の一方の長辺が内側に向かって半円形状に湾曲し、他方の長辺が外側へ向かって半円形状に湾曲し、四隅が円弧状に面取りされた形状をしている。また、下部ハウジング３の下端面１５の外周端縁部から上方に向かって壁面部１６を全周に設け、その内側に空間を形成している。壁面部１６は、一方の長辺の略中央において上部ハウジング２の湾曲壁面部１２と同様に上方から見て半円形状に湾曲した湾曲壁面部１７を有し、他方の長辺の略中央には、上部ハウジング２の湾曲壁面部１２とともに上方から見て円形形状を形成する半円形状の凸部１８を有している。下部ハウジング３の壁面部１６の短辺の上端には、上方から見て対角位置に、外側へ突出した一対の第一突出片１９を設けている。第一突出片１９は長方形の板状形状をしており、後述する第二突出片２０側の辺が上方に向かって傾斜している。さらに、下部ハウジング３の壁面部１６の短辺の下端には、上方から見て第一突出片１９とは逆の対角位置に、外側へ突出した長方形の板状形状の第二突出片２０を設けている。下部ハウジング３の下端面１５における一方の短辺の側には、照明用発光体８の光を透過するための透明な集光レンズ部２１を設けている。集光レンズ部２１に隣接して、第三バスバー６を係止する直方体状の係止体２２を設けている。係止体２２の上面には、一対のスリット（図示せず）を設けている。また、下部ハウジング３の一方の長辺に設けられた半円形状の凸部１８の内側面に沿うように、下端面１５に円形の貫通孔２３を設けている。貫通孔２３の外周端縁から鉛直上方に向かって壁面部２４を設けている。また、下端面１５に設けられた集光レンズ部２１の反対側には、スイッチノブ７を挿入するための貫通孔２５を長方形形状に設けている。貫通孔２５及び下端面１５の一部を囲んで、長方形形状の壁面部２６を設けている。壁面部２６によって囲まれた空間に、スイッチノブ７が収容されることになる。壁面部２６の一端の上面には、一対のスリット（図示せず）を設けている。壁面部２６の別の一端から集光レンズ２１へ向かう方向に、第一バスバー４を係止する棒状体２７を設けている。棒状体２７の上面には、一つのスリット（図示せず）を設けている。下部ハウジング３の長辺の壁面部１６には、上部ハウジング２の四つの係止片１４に対応した四つの係止孔２８を設けている。係止片１４を係止孔２８に係止させて上部ハウジング２及び下部ハウジング３を閉じることで内部空間が生じ、この内部空間には、第一バスバー４、第二バスバー５、第三バスバー６、操作用のスイッチノブ７、照明用発光体８、及びルーフハーネス９が収容される（この収容に関しては後述する）。
【００２６】
第一バスバー４、第二バスバー５、及び第三バスバー６は全て弾性を有する金属製の板状形状である。第一バスバー４は、スイッチ２９を構成する第一導通部３０と、照明用発光体８に接続される第一接続部３１と、第一導通部３０及び第一接続部３１を繋ぐ胴体部３２と、棒状体２７に係止される係止片３３とを備えて構成されている。第一導通部３０は板状形状を上方に湾曲させた形状をしている。係止片３３は胴体部３２から下方へ延在しており、棒状体２７のスリット（図示せず）に挿入されて第一バスバー４を係止する。第二バスバー５は、第一導通部３０とともにスイッチ２９を構成する板状の第二導通部３４と、第二導通部３４の両側から鉛直上方に延在し、ルーフハーネス９を圧接接続する一対の第一圧接部３５と、壁面部２６に係止される一対の係止片３６とを備えて構成されている。第二導通部３４の一端は、Ｕ字形状となるように上方に折り返されている。一対の第一圧接部３５は、ルーフハーネス９に切り込んで圧接接続するために中央に溝を有する板状形状をしている。一対の係止片３６は第二導通部３４の別の一端において下方に向かって設けられており、壁面部２６の上面に設けられたスリット（図示せず）に挿入されて第二バスバー５を係止する。第三バスバー６は、照明用発光体８に接続される第二接続部３７と、係止体２２に係止される一対の係止片３８と、第二接続部３７及び係止片３８を繋ぐ胴体部３９と、胴体部３９の両側から鉛直上方に延在し、ルーフハーネス９を圧接接続する一対の第二圧接部４０とを備えて構成されている。一対の第二圧接部４０は、第一圧接部３５と同様の形状をしている。係止片３８は第二接続部３７の反対側端部に下方に向かって形成されており、係止体２２の上面のスリット（図示せず）に挿入されて第三バスバー６を係止する。
【００２７】
スイッチノブ７は、下部ハウジング３の貫通孔２５を通じて下方に突出する操作部４１と、操作部４１の上面に設けて壁面部２６によって形成された空間に収容される爪部４２と、爪部４２の上面に設けてスイッチ２９を押圧操作する押圧部４３とを備えて構成されている。操作部４１は下方へ長い略直方体形状をしている。爪部４２は貫通孔２５よりも大きな板状形状をしていて、壁面部２６によって形成された空間内の下端面１５の一部に引っ掛かり、スイッチノブ７の落下を防いでいる。押圧部４３は略直方体形状をしており、その一端に傾斜部４４を有している。傾斜部４４は、押圧部４３の上面から下面に向かって鋭角に形成されている。また、傾斜部４４における中央位置から押圧部４３寄りに、陥凹部４５を設けている（図８参照）。傾斜部４４を第一バスバー４の第一導通部３０に接触させることによって、第一導通部３０を押し下げることができ、さらに陥凹部４５に第一導通部３０が位置することによって、第一導通部３０を確実に押し下げ続けることが可能になる。
【００２８】
照明用発光体８は、既に公知である白熱電球やＬＥＤ等の発光体であればよい。例えば、サンバイザー５１（図６参照）に設けられた鏡５５（図６参照）を使用する場合などに照明用発光体８を点灯させることで、鏡５５が見易くなる。
【００２９】
ルーフハーネス９は、既に公知であるものが使用されており、車載バッテリーなどから照明用発光体８或いは他の装置に電力を供給する役割を担っている。
【００３０】
このように構成されたサンバイザー用照明装置１の組み立ては、最初に、下部ハウジング３の貫通孔２５にスイッチノブ７を挿入する。次いで、第一バスバー４の係止片３３を棒状体１７上面のスリット（図示せず）に係止する。このとき、第一バスバー４の第一導通部３０はスイッチノブ７の爪部４２上に載置される状態になっていて、且つ、第一導通部３０及びスイッチノブ７の傾斜部４４が水平に対向している状態になっている。次いで、スイッチノブ７の押圧部４３及び第一バスバー４の第一導通部３０を共に上面から覆うように、第二バスバー５を壁面部２６に係止する。次いで、第三バスバー６を係止体２２に係止し、照明用発光体８を第一バスバー４の第一接続部３１及び第三バスバー６の第二接続部３７に接続する。このように、第一バスバー４の第一導通部３０、第二バスバー５の第二導通部３４、及びスイッチノブ７の位置関係については、第一導通部３０及びスイッチノブ７の傾斜部４４が水平に対向するように配置され、第二導通部３４が第一導通部３０及びスイッチノブ７の押圧部４３の上方に配置されていることになる。ここまでの組み立て状態については図２（ａ）に示す。次いで、この図２（ａ）の組み立て状態において、ルーフハーネス９を、第二バスバー５の一対の第一圧接部３５及び第三バスバー６の一対の第二圧接部４０に、それぞれ圧接接続する。ここまでの組み立て状態については図２（ｂ）に示す。
【００３１】
図２（ｂ）に示した組み立て状態において、上部ハウジング２の係止片１４を下部ハウジング３の係止孔２８に嵌め込むことで、図３に示すようにサンバイザー用照明装置１の組み立てが完了する。サンバイザー用照明装置１を上面から見ると、下部ハウジング３の下端面１５に設けられた貫通孔２３及び上部ハウジング２の長辺の略中央に設けられた湾曲壁面部１２が略円形形状を形成している。また、下部ハウジング３の短辺から外側に向かって、第一突出片１９及び第二突出片２０が突出している。さらに、ルーフハーネス９は、上部ハウジング２の嵌め込み孔部１３を通じて外側に向かって延在している。次に、サンバイザー用照明装置１を下面から見ると、スイッチノブ７の操作部４１は、サンバイザー用照明装置１の下端面１５に設けられた貫通孔２５から下方に突出している。また、操作部４１及び貫通孔２５の間には操作部４１が水平移動可能な空間が形成されている。照明用発光体８は、サンバイザー用照明装置１の下端面１５に設けられた透明な集光レンズ部２１から光を発するように配置されている。
【００３２】
このようにして組み立てられたサンバイザー用照明装置１内における、回路図を図４に示す。第一バスバー４の第一導通部３０及び第二バスバー５の第二導通部３４によって、スイッチ２９が構成されている。スイッチ２９のＯＮ／ＯＦＦは、スイッチノブ７（図１参照）によって行われる。また、第一バスバー４の第一接続部３１及び第三バスバー６の第二接続部３７は、照明用発光体８に接続されている。さらに、第二バスバー５の第一圧接部３５及び第三バスバー６の第二圧接部４０に、それぞれ異なるルーフハーネス９が圧接接続されている。ルーフハーネス９は車両側のバッテリー（図示せず）或いは他の装置に等に接続されている。このように、車両側のバッテリー等からの電力が第一圧接部３５及び第二圧接部４０を通じて回路内に供給され、スイッチノブ７（図１参照）を用いてスイッチ２９のＯＮ／ＯＦＦを操作することによって、照明用発光体８を点灯／消灯させることが可能になる。
【００３３】
組み立てが完了したサンバイザー用照明装置１を、ルーフモジュール４６として製造する方法について図５を参照しながら説明する。一般的に、車両のルーフとは車両の天井全体（図示せず）のことであるが、図５に示すルーフ４７は、サンバイザー用照明装置１が組み付けられる部分としてルーフ全体における前方部分のみを表している。ルーフ４７は板状の形状をしており、その中央部にルーフ孔部４８を有している。まず、サンバイザー用照明装置１は、上部ハウジング２を上側にしてルーフ孔部４８内に挿入される。このとき、第一突出片１９及び第二突出片２０（図示せず）がルーフ４７の上面及び下面を挟むようにして、サンバイザー用照明装置１をルーフ４７に仮固定する。したがって、当然、ルーフハーネス９はルーフ４７の上部に配置されることになる。このようにサンバイザー用照明装置１をルーフ４７に仮固定した状態を図５（ａ）に示している。次いで、図５（ｂ）に示すように、図５（ａ）の状態の組み立て品を、一対の車両側のブラケット４９に位置合わせする。この車両側のブラケット４９は略Ｔ字形状を成しており、Ｔ字状の突出部分に貫通孔５０を有している。ここでの位置合わせは、一方のブラケット４９に設けられた貫通孔５０及びサンバイザー用照明装置１に設けられた貫通孔２３を合致させるように行う。次いで、図５（ｃ）に示すように、図５（ｂ）の状態の組み立て品に対して、サンバイザー５１を下側から組み付ける。ここでのサンバイザー５１は既に公知の製品であって、車室天井部（図示せず）に沿う格納位置及びフロントガラス（図示せず）に沿うフロント遮光位置の切り替えが可能であるとともに、フロント遮光位置及びサイド遮光位置の切り替えも可能となるように構成されているものである。サンバイザー５１の一側には上向きに板状のフランジ５２を設け、フランジ５２の上面には上向きのネジ５３を二つ設けている。また、このネジ５３の間には、サンバイザー５１のフロント遮光位置及びサイド遮光位置を切り替えるための縦軸部５４を設けている。さらに、フランジ５２の上面には、貫通孔５６を設けている。この貫通孔５６を通じて、サンバイザー用照明装置１の下部から突出しているスイッチノブ７の操作部４１が下方に突出することになる。ここでの組み付けは、図５（ｂ）の状態の組み立て品に対してサンバイザー５１を下側からネジ締めすることによって行われる。このとき、縦軸部５４は車両側の適所に回動自在に挿入される。
【００３４】
このようにして組み立てが完了したルーフモジュール４６の組み立て品を図６に示す。図６（ａ）に示すように、サンバイザー５１はルーフ４７に対して、下側からネジ５３によってネジ締め固定されている。また、図６（ｂ）に示されるように、このルーフモジュール４６を下側から見ると、フランジ５２に設けられている縦軸部５４がサンバイザー５１側にも突出して、サンバイザー１、フランジ５２、及びルーフ４７を接続している。この縦軸部５４を用いることによって、サンバイザー５１をフロント遮光位置及びサイド遮光位置に切り替えることが可能になっている。また、スイッチノブ７の操作部４１は、フランジ５２の貫通孔５６を通じてサンバイザー５１側に突出している。さらに、照明用発光体８は、透明な集光レンズ部２１を通じてサンバイザー５１側を照らすので、例えば、サンバイザー５１に設けられた鏡５５を使用する場合などに照明用発光体８を点灯させることで鏡５５が見易くなる。
【００３５】
図７は、ルーフモジュール４６におけるサンバイザー用照明装置１が含まれる部分を上面から見た図である。図８〜図１０は図７におけるＡ−Ａ断面図であり、特に、第一バスバー４、第二バスバー５、及びスイッチノブ７によって行われるスイッチ２９のＯＮ／ＯＦＦ動作を示している。前述してあるが、サンバイザー用照明装置１は、上部ハウジング２及び下部ハウジング３の内側にスイッチ２９を有している（図１参照）。スイッチ２９は、第一バスバー４の第一導通部３０及び第二バスバー５の第二導通部３４から構成されている（図１参照）。
【００３６】
図８において、スイッチノブ７の押圧部４３は第二バスバー５の第二導通部３０に下方から接しているが、第一バスバー４の第一導通部３０とは何ら接していない。このようなスイッチノブ７の位置を第一の位置と定義する。このとき、第一導通部３０は、自身の弾性を利用して第二導通部３４に下方から接触している。つまり、サンバイザー用照明装置１のスイッチノブ７が第一の位置にあるとき、第一導通部３０は自身の弾性を利用して下方から第二導通部３４に接触しており、スイッチ２９はＯＮの状態にある。なお、ここではサンバイザー５１をフロント遮光位置に下ろした状態が示されている。
【００３７】
図９は、スイッチノブ７を第一の位置から矢印方向（水平方向）へ移動させて、スイッチノブ７が第二の位置にあるときの第一バスバー４及び第二バスバー５の離間状態を示している。このとき、スイッチノブ７の押圧部４３は、第二バスバー５の第二導通部３４に下方から接しているとともに、押圧部４３に設けられた傾斜部４４が第一バスバー４の第一導通部３０を下方に押し下げている。このようなスイッチノブ７の位置を第二の位置と定義する。サンバイザー用照明装置１のスイッチノブ７が第二の位置にあるとき、第一導通部３０に水平に対向配置されたスイッチノブ７の傾斜部４４が第一導通部３０を押し下げることによって、第一バスバー４の第一導通部３０及び第二バスバー５の第二導通部３４は離間し、スイッチ２９はＯＦＦの状態となる。また、傾斜部４４には第一導通部３０の湾曲形状に対応した形状の陥凹部４５を設けていて、このため傾斜部４４によって下方に押し下げられた第一導通部３０は陥凹部４５に保持され、スイッチ２９のＯＦＦ状態を確実に維持し続けることができる。スイッチノブ７を第二の位置から第一の位置に戻せば、当然、第一導通部３０は自身の弾性を利用して第二導通部３４に下方から接する状態に戻るので、スイッチ２９はＯＮ状態に戻る。なお、このスイッチノブ７の操作は手動で行う。
【００３８】
図１０は、スイッチノブ７を第一の位置から矢印方向（上方向）へ移動させて、スイッチノブ７が第三の位置にあるときの第一バスバー４及び第二バスバー５の離間状態を示している。このとき、スイッチノブ７の押圧部４３は、第二バスバー５の第二導通部３４を上方に押し上げている。なお、スイッチノブ７の押圧部４３に設けられた傾斜部４４及び第一バスバー４の第一導通部３０は接触していない。このようなスイッチノブ７の位置を第三の位置と定義する。サンバイザー用照明装置１のスイッチノブ７が第一の位置にあるとき、サンバイザー５１をルーフ４７に沿う格納位置に動かして閉じると、サンバイザー５１はスイッチノブ７に干渉して、スイッチノブ７がサンバイザー５１によって矢印方向に押し上げられて第三の位置に移動する。すなわち、図１０（ａ）のＣ部拡大図である図１０（ｂ）に詳細を示すように、スイッチノブ７の押圧部４３が第二バスバー５の第二導通部３４を上方に押し上げる（図中の矢印参照）ので、第一導通部３０及び第二導通部３４は離間してスイッチ２９が自動的にＯＦＦの状態となる。この状態で、サンバイザー５１をフロントガラス（図示せず）に沿うフロント遮光位置に動かすと、第二バスバー５は自身の弾性を利用して元の位置に戻る（下方移動する）。つまり、第一導通部３０及び第二導通部３４が再び接触して、スイッチ２９は自動的にＯＮの状態となる。
【００３９】
ここまでスイッチノブ７を第一の位置から第三の位置にサンバイザー５１を用いて動かしたときの第一バスバー４及び第二バスバー５の離間状態を説明したが、スイッチノブ７を第二の位置から第三の位置にサンバイザー５１を用いて動かしたときの第一バスバー４及び第二バスバー５の離間状態についても説明する。スイッチノブ７が第二の位置にあって（図９参照）、サンバイザー５１を閉じたときサンバイザー５１がスイッチノブ７に干渉しない場合、当然、スイッチノブ７は第二の位置を維持し続ける。すなわち、第一バスバー４の第一導通部３０に水平に対向配置されたスイッチノブ７の傾斜部４４が第一導通部３０を押し下げて、第一導通部３０及び第二バスバー５の第二導通部３４が離間している状態が継続されているので、スイッチ２９はＯＦＦの状態を維持し続ける。また、スイッチノブ７が第二の位置にあって（図９参照）、サンバイザー５１を閉じたときサンバイザー５１がスイッチノブ７に干渉する場合、スイッチノブ７の押圧部４３は第二バスバー５の第二導通部３４を上方に押し上げる。このとき、傾斜部４４によって押し下げられている第一導通部３０は自身の弾性によって元の位置に戻ろうとするが、スイッチノブ７の傾斜部４４に設けられた陥凹部４５が確実に第一導通部３０を保持し続けているので、第一導通部３０及び第二導通部３４が離間している状態も継続される。つまり、スイッチ２９はＯＦＦの状態を維持し続けることになる。
【００４０】
以上、本発明によれば、サンバイザー５１をルーフ４７に沿う格納位置に動かして閉じるだけでスイッチ２９をＯＦＦの状態にすることができ、点灯している状態の照明用発光体８を自動的に消灯させることが可能になる。したがって、例えばサンバイザー５１を閉じた後でいちいち手動によってスイッチ２９をＯＦＦ状態にする必要がなく、スイッチ２９をＯＦＦするための操作が非常に容易になる。さらに、このようにサンバイザー５１を使用してスイッチ２９を自動的にＯＦＦした状態からサンバイザー５１をフロントガラス（図示せず）に沿うフロント遮光位置に動かすだけでスイッチ２９をＯＮの状態にすることができ、消灯している状態の照明用発光体８を自動的に点灯させることも可能になる。なお、スイッチノブ７が第二の位置にあってスイッチ２９がＯＦＦの状態でサンバイザー５１を閉じたとき、サンバイザー５１及びスイッチノブ７が干渉する場合或いは干渉しない場合が考えられるが、そのどちらの場合であってもスイッチ２９はＯＦＦの状態を維持し続けることができる。また、ルーフハーネス９及びスイッチ２９の接続を、第二バスバー５の第一圧接部３５及び第三バスバー６の第二圧接部４０を介して圧接によって行うので、従来例のような電線の余長が発生しない。したがって、組み付けの時に余った電線が噛み込まないとともに、従来のコネクタ等の部品を削減できる。さらに、サンバイザー用照明装置１及びサンバイザー５１は、共にルーフ４７にネジ締め固定されるので、サンバイザー用照明装置１及びサンバイザー５１の位置決めを正確に行うことができる。ひいては、サンバイザー用照明装置１に設けられたスイッチノブ７及びサンバイザー５１の位置決めを正確に行うことが出来る。さらに、サンバイザー用照明装置１がルーフモジュール４６の一部としてルーフ４７に固定されるので、サンバイザー用照明装置１の組み付けが容易になる
【符号の説明】
【００４１】
１、５７  サンバイザー用照明装置
２  上部ハウジング
３  下部ハウジング
４  第一バスバー
５  第二バスバー
６  第三バスバー
７  スイッチノブ
８、６０  照明用発光体（照明）
９  ルーフハーネス
１０  上端面
１１、１６、２４、２６  壁面部
１２、１７  湾曲壁面部
１３  嵌め込み孔部
１４、３３、３６、３８  係止片
１５  下端面
１８  凸部
１９  第一突出片
２０  第二突出片
２１  集光レンズ部
２２  係止体
２３、２５、５０、５６  貫通孔
２７  棒状体
２８  係止孔
２９  スイッチ
３０  第一導通部
３１  第一接続部
３２、３９  胴体部
３４  第二導通部
３５  第一圧接部
３７  第二接続部
４０  第二圧接部
４１、７０  操作部
４２  爪部
４３  押圧部
４４  傾斜部
４５  陥凹部
４６  ルーフモジュール
４７  ルーフ
４８  ルーフ孔部
４９  ブラケット
５１  サンバイザー
５２  フランジ
５３  ネジ
５４  縦軸部
５５  鏡
５８  縦筒体
５９  ランプホルダ
６１  組込部
６２  固定電極板
６３  コネクタ
６４  電線
６５  ランプ
６６  ランプケース
６７  可動電極板
６８  レンズ保持部
６９  レンズ
【図１】
2011235767.tif 000003
【図２】
2011235767.tif 000004
【図３】
2011235767.tif 000005
【図４】
2011235767.tif 000006
【図５】
2011235767.tif 000007
【図６】
2011235767.tif 000008
【図７】
2011235767.tif 000009
【図８】
2011235767.tif 000010
【図９】
2011235767.tif 000011
【図１０】
2011235767.tif 000012
【図１１】
2011235767.tif 000013